(57)【要約】  複数の移動通信装置および複数の移動通信装置と通信するサーバとを含む紹介システム。サーバは、複数の移動通信装置のユーザに関する個人情報を記憶し、複数のユーザのうちの第１のユーザに、第１のユーザの移動通信装置を介して、第２のユーザの移動通信装置により、第２のユーザが第１のユーザを指名した場合、複数のユーザのうちの第２のユーザに関する個人情報を提供する。【選択図】      図１
2007514332.tif 000002
【特許請求の範囲】
【請求項１】
紹介システムであって、
複数の移動通信装置と、
前記複数の移動通信装置と通信するサーバと備え、
前記サーバは、前記複数の移動通信装置のユーザに関する個人情報を記憶するとともに、第２のユーザの移動通信装置により、前記第２のユーザが前記第１のユーザを指名した場合に、第１のユーザの移動通信装置を介して前記ユーザのうちの前記第１のユーザに、前記ユーザのうちの前記第２のユーザに関する前記個人情報を提供する紹介システム。
【請求項２】
前記サーバが、前記指名に関する前記個人情報を通常リアルタイムで提供する、請求項１に記載の紹介システム。
【請求項３】
前記指名が、前記第２のユーザの前記移動通信装置から前記第１のユーザの前記移動通信装置へのポイント・ツウ・ポイント近距離無線送信を含む、請求項１に記載の紹介システム。
【請求項４】
前記指名が、前記第２のユーザの移動通信装置を使用して前記第１のユーザを撮影するステップと、前記サーバに前記写真を送信するステップと、前記写真から前記第１のユーザを自動的に認識するステップと、前記第１のユーザの移動通信装置のアドレスを決定するステップとを含む、請求項１に記載の紹介システム。
【請求項５】
前記指名が、移動通信装置位置機能を使用して空間内の前記複数の移動通信装置の相対位置を示す地図を提供するステップと、前記第２のユーザの前記移動通信装置を使用して前記地図を受信し、前記第１のユーザの前記地図上の位置を指定するステップと、前記第１のユーザの移動通信装置のアドレスを決定するステップとを含む、請求項１に記載の紹介システム。
【請求項６】
前記複数の移動通信装置が、少なくとも１つの携帯電話を備える、請求項１に記載の紹介システム。
【請求項７】
前記複数の移動通信装置が、少なくとも１つの無線携帯情報端末（ＰＤＡ）を備える、請求項１に記載の紹介システム。
【請求項８】
前記サーバが、前記第１の個人が前記紹介システムの加入者であるか否かを判定することができる、請求項１に記載の紹介システム。
【請求項９】
紹介システムであって、
対応する複数のユーザが使用するのに適している複数の移動通信装置を備え、前記複数の各移動通信装置は、その前記複数のユーザのうちの第１のユーザに関する個人情報を記憶するとともに、前記第１のユーザの移動通信装置により前記第１のユーザが第２のユーザを指名した場合に、前記第２のユーザの移動通信装置を介して前記複数のユーザのうちの前記第２のユーザに前記個人情報を送信する紹介システム。
【請求項１０】
前記指名に関する前記個人情報が通常リアルタイムで送信される、請求項９に記載の紹介システム。
【請求項１１】
前記指名が、前記第２のユーザの前記移動通信装置から前記第１のユーザの前記移動通信装置へのポイント・ツウ・ポイント近距離無線送信を含む、請求項９に記載の紹介システム。
【請求項１２】
前記近距離無線送信が、Ｂｌｕｅｔｏｏｔｈ接続を介しての送信を含む、請求項１１に記載の紹介システム。
【請求項１３】
前記近距離無線送信が、ＷＬＡＮ接続を介しての送信を含む、請求項１１に記載の紹介システム。
【請求項１４】
前記複数の移動通信装置が、少なくとも１つの携帯電話を備える、請求項９に記載の紹介システム。
【請求項１５】
前記複数の移動通信装置が、少なくとも１つの無線携帯情報端末（ＰＤＡ）を含む、請求項９に記載の紹介システム。
【請求項１６】
前記移動通信装置が、前記第２のユーザが前記紹介システムの加入者であるか否かを判定することができる、請求項９に記載の紹介システム。
【請求項１７】
紹介方法であって、
対応する複数の移動通信装置の複数のユーザに関する個人情報を記憶するステップと、
第２のユーザの移動通信装置により前記第２のユーザが第１のユーザを指名した場合に、前記複数のユーザのうち前記第１のユーザに、前記第１のユーザの移動通信装置を介して、前記複数のユーザのうちの前記第２のユーザの前記個人情報を提供するステップとを含む紹介方法。
【請求項１８】
前記個人情報を提供する前記ステップが、前記指名ステップに関する前記個人情報を通常リアルタイムで提供するステップを含む、請求項１７に記載の紹介方法。
【請求項１９】
前記指名ステップが、前記第２のユーザの前記移動通信装置から前記第１のユーザの前記移動通信装置にポイント・ツウ・ポイント近距離無線送信を介して無線送信するステップを含む、請求項１７に記載の紹介方法。
【請求項２０】
前記無線送信ステップが、Ｂｌｕｅｔｏｏｔｈ接続を介して送信するステップを含む、請求項１９に記載の紹介方法。
【請求項２１】
前記無線送信ステップが、ＷＬＡＮ接続を介しての送信ステップを含む、請求項１９に記載の紹介方法。
【請求項２２】
前記指名ステップが、
前記第２のユーザの移動通信装置を使用して前記第１のユーザを撮影するステップと、
サーバに前記写真を送信するステップと、
前記写真から前記第１のユーザを自動的に認識するステップと、
前記第１のユーザの移動通信装置アドレスを決定するステップとを含む、請求項１７に記載の紹介方法。
【請求項２３】
前記指名ステップが、
移動通信装置位置標定機能を使用して空間内の複数の前記移動通信装置の相対位置を示す地図を提供するステップと、
前記第２のユーザの移動通信装置を使用して前記地図を受信するステップと、
前記第１のユーザの前記地図上の位置を指定するステップと、
前記第１のユーザの移動通信装置アドレスを決定するステップとを含む、請求項１７に記載の紹介方法。
【請求項２４】
前記複数の移動通信装置が、少なくとも１つの携帯電話を備える、請求項１７に記載の紹介方法。
【請求項２５】
前記複数の移動通信装置が、少なくとも１つの無線携帯情報端末（ＰＤＡ）を備える、請求項１７に記載の紹介方法。
【請求項２６】
前記第１の個人が紹介システムの加入者であるか否かを判定するステップを含む、請求項１７に記載の紹介方法。
【発明の詳細な説明】
【技術分野】
【０００１】
本発明は、個人間の紹介を容易にし、確立するためのシステムおよび方法に関する。
【背景技術】
【０００２】
下記の米国特許は、技術的現状を表していると考える。
【０００３】
【特許文献１】米国特許第６，４７７，５８０号
【特許文献２】米国特許第６，１１２，１８１号
【特許文献３】米国特許第６，０６１，６８１号
【特許文献４】米国特許第５，５９８，３５１号
【発明の開示】
【発明が解決しようとする課題】
【０００４】
本発明は、個人間での紹介を容易にし、確立するための非常に効果的なシステムおよび方法を提供することを目的としている。
【課題を解決するための手段】
【０００５】
それ故、本発明の好ましい実施形態は、複数の移動通信装置およびこれら複数の移動通信装置と通信するサーバを含む紹介システムを提供する。サーバは、複数の移動通信装置のユーザに関する個人情報を記憶し、第２のユーザが第１のユーザを指名した場合に、第２のユーザの移動通信装置により、第１のユーザの移動通信装置を介して、複数のユーザのうちの第１のユーザに、複数のユーザのうちの第２のユーザに関する個人情報を提供するために動作することができる。
【０００６】
本発明のもう１つの好ましい実施形態の場合には、サーバは、指名に応じて通常リアルタイムで個人情報を提供することができる。
【０００７】
本発明のさらにもう１つの好ましい実施形態の場合には、指名は、第２のユーザの移動通信装置から第１のユーザの移動通信装置へのポイント・ツウ・ポイント近距離無線送信を含む。別の方法としては、指名は、第２のユーザの移動通信装置を使用して第１のユーザを撮影するステップと、サーバにこの写真を送信するステップと、写真から第１のユーザを自動的に認識するステップと、第１のユーザの移動通信装置のアドレスを決定するステップとを含む。
【０００８】
本発明のさらに他の好ましい実施形態の場合には、指名は、移動通信装置位置標定機能を使用して空間内の複数の移動通信装置の相対位置を示す地図を提供するステップと、地図を受信し、第２のユーザの移動通信装置を使用して第１のユーザの地図上の位置を指定するステップと、第１のユーザの移動通信装置アドレスを決定するステップとを含む。
【０００９】
本発明のもう１つの好ましい実施形態の場合には、複数の移動通信装置は、少なくとも１つの携帯電話を含む。追加的にまたは代替的に、複数の移動通信装置は、少なくとも１つの無線携帯情報端末（ＰＤＡ）を含む。
【００１０】
本発明のさらにもう１つの好ましい実施形態の場合には、サーバは、第１の個人が紹介システムの加入者であるか否かを判定することができる。
【００１１】
本発明のもう１つの好ましい実施形態は、対応する複数のユーザが使用するのに適している複数の移動通信装置を含む紹介システムを提供する。複数の各移動通信装置は、その複数のユーザのうちの第１のユーザに関する個人情報を記憶することができ、第１のユーザが第２のユーザを指名した場合に、第１のユーザの移動通信装置により、第２のユーザの移動通信装置を介して、複数のユーザのうちの第２のユーザに個人情報を送信することができる。
【００１２】
好適には、個人情報は、指名に応じて通常リアルタイムで送信することが好ましい。追加的にまたは代替的に、指名は、第２のユーザの移動通信装置から第１のユーザの移動通信装置へのポイント・ツウ・ポイント近距離無線送信を含む。本発明の好ましい実施形態の場合には、近距離無線送信は、Ｂｌｕｅｔｏｏｔｈ接続を介しての送信を含む。代替的にまたは追加的に、近距離無線送信は、ＷＬＡＮ接続を介しての送信を含む。
【００１３】
本発明のさらにもう１つの好ましい実施形態の場合には、複数の移動通信装置は、少なくとも１つの携帯電話を含む。追加的にまたは代替的に、複数の移動通信装置は、少なくとも１つの無線携帯情報端末（ＰＤＡ）を含む。
【００１４】
本発明のさらにもう１つの好ましい実施形態の場合には、移動通信装置は、第２のユーザが紹介システムの加入者であるか否かを判定することができる。
【００１５】
本発明のさらにもう１つの好ましい実施形態の場合には、紹介方法は、さらに、対応する複数の移動通信装置の複数のユーザに関する個人情報を記憶するステップと、第２のユーザが第１のユーザを指名した場合に、第２のユーザの移動通信装置により、複数のユーザのうちの第２のユーザの個人情報を、第１のユーザの移動通信装置を介して複数のユーザのうちの第１のユーザに提供するステップを含む。
【００１６】
本発明のもう１つの好ましい実施形態の場合には、個人情報を提供するステップは、指名に応じて通常リアルタイムで個人情報を提供するステップを含む。
【００１７】
本発明のさらにもう１つの好ましい実施形態の場合には、指名するステップは、ポイント・ツウ・ポイント近距離無線送信により、第２のユーザの移動通信装置から第１のユーザの移動通信装置へ無線で送信するステップを含む。さらに、無線で送信するステップは、Ｂｌｕｅｔｏｏｔｈ接続を介して送信するステップを含む。代替的にまたは追加的に、無線で送信するステップは、ＷＬＡＮ接続を介して送信するステップを含む。
【００１８】
本発明のさらにもう１つの好ましい実施形態の場合には、指名するステップは、第２のユーザの移動通信装置を使用して第１のユーザを撮影するステップと、サーバにこの写真を送信するステップと、写真から第１のユーザを自動的に認識するステップと、第１のユーザの移動通信装置アドレスを決定するステップとを含む。
【００１９】
本発明のもう１つの好ましい実施形態の場合には、指名するステップは、移動通信装置位置標定機能を使用して空間内の複数の移動通信装置の相対位置を示す地図を提供するステップと、第２のユーザの移動通信装置を使用して地図を受信するステップと、第１のユーザの地図上の位置を指定するステップと、第１のユーザの移動通信装置アドレスを決定するステップとを含む。
【００２０】
好適には、複数の移動通信装置は、少なくとも１つの携帯電話を含むことが好ましい。追加的にまたは代替的に、複数の移動通信装置は、少なくとも１つの無線携帯情報端末（ＰＤＡ）を含む。
【００２１】
本発明のさらにもう１つの好ましい実施形態の場合には、上記方法は、また、第１の個人が紹介システムの加入者であるか否かを判定するステップも含む。
【００２２】
以下の詳細な説明を読めば、本発明をもっと完全に理解することができるだろう。
【発明を実施するための最良の形態】
【００２３】
ここで図１を参照すると、この図は、視覚認識を使用する本発明の好ましい実施形態による、個人間の紹介を容易にするための一般化されたシステムおよび方法の略図である。図１を見れば分かるように、本発明は、複数の移動通信装置を使用する紹介システムおよび機能を提供する。このような移動通信装置の例としては、フィンランド、ＦＩＮ−０００４５、Ｋｅｉｌａｌａｈｄｅｎｔｉｅ  ２−４、Ｐ．Ｏ．Ｂｏｘ２２６所在のＮｏｋｉａ社が市販しているモデル３６５０のようなカメラ機能を有する携帯電話１０、日本のソニーが市販しているモデルＰＥＧ−ＮＺ９０のようなカメラ機能を有する無線ＰＤＡ、または任意の他の適当な移動通信装置がある。
【００２４】
図の実施形態の場合には、以後「撮像者」と呼ぶ個人が、以後「被撮像者」と呼ぶ他の人を撮影するために、また移動通信ネットワークを介して、通常、複数のこのような移動通信装置と通信するサーバ１２に被撮像者の画像を送るために、携帯電話１０を使用する。
【００２５】
サーバ１２は、通常、ドイツ、Ｄ−０１１３９、ドレスデン、Ａｎ  ｄｅｒ  Ｆｌｕｔｒｉｎｎｅ  １２、Ｄｒｅｓｄｅｎ  Ｈｅａｄｑｕａｒｔｅｒｓ所在のＣｏｇｎｉｔｅｃ  Ｓｙｓｔｅｍｓ社が市販している、ＦａｃｅＶＡＣＳサーバのような、通常複数の別々の物理サーバ内で実施される顔認識サーバを備える。
【００２６】
好適には、サーバ１２は、また、米国、９４０６５、カリフォルニア州レッドウッド・ショア、オラクル・パークウェイ５００所在のオラクル社が市販している従来のデータベース・ソフトウェア・アプリケーションで通常実施される個人会員詳細情報サーバを備えることが好ましい。好適には、サーバ１２の個人会員詳細情報サーバ部分は、紹介システムおよび機能にすでに加入している複数の移動通信装置の何人かのユーザに関する個人情報を記憶することができることが好ましい。さらに、サーバ１２は、被撮像者が、紹介システムおよび機能の加入者であるか否かを判定することができる。被撮像者が紹介システムの加入者である場合には、サーバ１２は、従来の顔認識ソフトウェアにより、被撮像者を認識し、例えば、名前、写真、電話番号、住所および学歴のような、撮像者に関する、サーバ１２のところに記憶している個人詳細情報を被撮像者に提供する。
【００２７】
次に、被撮像者は、被撮像者個人詳細情報を撮像者に提供することをサーバ１２に許可するか否かを決定することができる。この決定は、通常、それぞれＹＥＳおよびＮＯ機能を有するボタン１６および１８のような被撮像者が保持する移動通信装置１４上の１つまたは複数のボタンを押すことにより行われる。
【００２８】
図１の参照番号２０で示すように、被撮像者が撮像者に個人詳細情報を提供することに同意した場合には、サーバ１２は、参照番号２２で示すように撮像者にこのような詳細情報を提供する。このようにして、個人間で紹介を行うことができる。
【００２９】
サーバ１２の機能を、１つまたは複数の物理サーバ内で実施することができることを理解されたい。
【００３０】
上記機能は、図に示すように、リアルタイムまたはほぼリアルタイムで実行することもできるし、別の方法としてはリアルタイム以外の方法で実行することもできることを理解されたい。
【００３１】
そのカメラ機能の一部としての移動通信装置は、通常、少なくとも画像捕捉モード、画像記憶モード、画像表示モードおよび画像送信モードを含むことを理解されたい。さらに、好適には、カメラ機能はズーム機能を含むことが好ましい。
【００３２】
本発明の好ましい実施形態の場合には、携帯電話１０および移動通信装置１４は、上記処理を行うことができるようにするために必要な機能を備えている。これらの機能は、画像捕捉および記憶機能、記憶画像表示機能、好適には、無線ネットワークを介しての送信を含むことが好ましい記憶画像送信機能、好適には、ユーザが選択することができる送信機能を含むことが好ましい個人詳細情報送受信機能を含むことができるが、含むことができる機能はこれらの機能に限定されない。
【００３３】
ここで図２を参照すると、この図は、ポイント・ツウ・ポイント（point to point, 以下同じ）通信を使用する本発明のもう１つの好ましい実施形態による個人間の紹介を容易にするための一般化されたシステムおよび方法の略図である。図２を見れば分かるように、本発明は、複数の移動通信装置を使用する紹介システムおよび機能を提供する。その例としては、英国ロンドン、Ｗ６７ＤＮ、ハマースミス・ロード２０２所在のＳｏｎｙ  Ｅｒｉｃｓｓｏｎ  Ｍｏｂｉｌｅ  Ｃｏｍｍｕｎｉｃａｔｉｏｎｓ、Ｓｏｎｙ  Ｅｒｉｃｓｓｏｎ  Ｈｏｕｓｅが市販しているモデルＴ６１０のようなポイント・ツウ・ポイント通信機能を有する携帯電話３０、シンガポール、バギー・ジャンクション・オフィス・タワー、ビクトリア通り＃０５−０７／０９  ２３０所在のシンボル・テクノロジーズ・アジア社が市販しているモデルＳＰＴ１８００のようなポイント・ツウ・ポイント通信機能を有する無線ＰＤＡ、または任意の他の適当な移動通信装置がある。
【００３４】
図の実施形態の場合には、以後「発呼者」と呼ぶ個人が、以後「被呼者」と呼ぶ他の個人の携帯電話３２とポイント・ツウ・ポイント通信を確立し、ポイント・ツウ・ポイント接続を介して被呼者に、例えば、名前、写真および電話番号のような携帯電話３０内に記憶している発呼者の個人情報を送るために携帯電話３０を使用する。
【００３５】
所望の被呼者との通信は、通常、Ｂｌｕｅｔｏｏｔｈ接続、ＷＬＡＮ接続または他の適当な無線接続を介しての無線通信を含む。通信リンクは、通常、通信範囲内の紹介システムの加入者のリストを受信する発呼者が確立する。次に、発呼者は、加入者を選択するために、従来の検索方法でリストを検索することができる。
【００３６】
好適には、選択した加入者の移動通信装置は、図２に参照番号３４で示すように、携帯電話３０に、肯定応答および写真のような他の追加情報を提供することができることが好ましい。次に、発呼者は、携帯電話３２を介して被呼者に無線電話３０内に記憶している個人詳細情報を提供するために、ポイント・ツウ・ポイント接続を使用することができる。
【００３７】
次に、被呼者は、発呼者にその個人詳細情報を提供するか否かを決定することができる。この決定は、通常、それぞれＹＥＳおよびＮＯ機能を有するボタン３６および３８のような携帯電話３２上の１つまたは複数のボタンを押すことにより行われる。
【００３８】
図２の参照番号４０が示すように、被呼者が発呼者に個人詳細情報を提供することに同意した場合には、参照番号４２が示すように、このような詳細情報が発呼者により受信される。このようにして、個人間の紹介を行うことができる。
【００３９】
上記機能は、図に示すように、リアルタイムでまたはほぼリアルタイムで実行することもできるし、別の方法としては、リアルタイム以外の方法で実行することができることを理解されたい。
【００４０】
本発明の好ましい実施形態の場合には、携帯電話３０および携帯電話３２は、上記処理を行うことができるようにするために必要な機能を備えている。これらの機能は、個人詳細情報記憶機能、無線送信／受信機能、検索機能および好適にはユーザが選択することができる送信機能を含んでいることが好ましい個人詳細情報送受信機能を含むことができるが、含むことができる機能はこれらの機能に限定されない。
【００４１】
ここで図３を参照すると、この図は、ポイント・ツウ・ポイント通信を使用する本発明のもう１つの好ましい実施形態による、個人間での紹介を容易にするための一般化されたシステムおよび方法の略図である。図３を見れば分かるように、本発明は、シンガポール、バギー・ジャンクション・オフィス・タワー、ビクトリア通り＃０５−０７／０９  ２３０所在のシンボル・テクノロジーズ・アジア社が市販しているモデルＳＰＴ１８００のようなポイント・ツウ・ポイント通信機能を有する無線ＰＤＡ５０のような複数の移動通信装置、ポイント・ツウ・ポイント通信機能を有する携帯電話、または任意の他の適当な移動通信装置を使用する紹介システムおよび機能を提供する。
【００４２】
図の実施形態の場合には、以後「撮像者」と呼ぶ個人が、以後「被呼者」と呼ぶ他の個人の類似の無線ＰＤＡ５２とポイント・ツウ・ポイント通信を確立し、また被呼者へポイント・ツウ・ポイント接続を介して、例えば、名前、写真および電話番号のような、無線ＰＤＡ５０内に記憶している撮像者の個人情報を送るために、無線ＰＤＡ５０を使用する。所望の被呼者との通信の確立は、通常、被呼者が内蔵カメラによりＰＤＡのディスプレイ上に表示されるように、図３の参照番号５４で示すように、無線ＰＤＡ５０を位置決めするステップを含む。
【００４３】
被呼者が紹介システムの加入者である場合には、好適には、被呼者の無線ＰＤＡ５２が、無線ＰＤＡ５０に肯定応答を送信することができ、撮像者に被呼者が加入者であることを通知することができることが好ましい。次に、撮像者は、被呼者に無線ＰＤＡ５０内に記憶している個人詳細情報を提供するために、ポイント・ツウ・ポイント接続を使用することができる。
【００４４】
次に、被呼者は、撮像者に被呼者の個人詳細情報を提供するか否かを決定することができる。この決定は、通常、それぞれＹＥＳおよびＮＯ機能を有する、ボタン５６および５８のような無線ＰＤＡ５２上の１つまたは複数のボタンを押すことにより行われる。
【００４５】
図３の参照番号６０で示すように、被呼者が撮像者に個人詳細情報を提供することに同意した場合には、参照番号６２で示すように、被呼者はこのような詳細情報を受信する。このようにして、個人間で紹介を行うことができる。
【００４６】
上記機能は、図に示すように、リアルタイムまたはほぼリアルタイムで実行することもできるし、別の方法としてはリアルタイム以外の方法で実行することもできることを理解されたい。
【００４７】
本発明の好ましい実施形態の場合には、無線ＰＤＡ５０および無線ＰＤＡ５２は、上記処理を行うことができるようにするために必要な機能を備える。これらの機能は、画像捕捉機能、個人詳細情報記憶機能、肯定応答送受信機能、および好適にはユーザが選択することができる送信機能を含むことが好ましい、個人詳細情報送受信機能を含むことができるが、含むことができる機能はこれらの機能に限定されない。
【００４８】
ここで図４を参照すると、この図は、位置標定マッピングを使用する本発明の好ましい実施形態による、個人間の紹介を容易にするための一般化されたシステムおよび方法の略図である。
【００４９】
図４を見れば分かるように、本発明は、複数の移動通信装置を使用する紹介システムおよび機能のさらにもう１つの実施形態を提供する。その例としては、日本のソニーが市販しているモデルＰＥＧ−ＮＺ９０のような無線ＰＤＡ８０、フィンランド、ＦＩＮ−０００４５、Ｋｅｉｌａｌａｈｄｅｎｔｉｅ  ２−４、Ｐ．Ｏ．Ｂｏｘ２２６所在のＮｏｋｉａ社が市販しているモデル３６５０のような携帯電話８２、または任意の他の適当な移動通信装置がある。図４の実施形態は、少なくとも１つの移動ネットワークを介して通信を行う従来のセルラー・マイクロセル・トランシーバ８４である。種々のセルラー移動通信装置８０および８２は、マイクロセル・トランシーバ８４および少なくとも１つの移動ネットワークを介して通信する。マイクロセル・トランシーバ８４は、種々のセルラー移動通信装置８０および８２の相対的な位置に関する現在の情報を記憶する。
【００５０】
図の実施形態の場合には、以後「選択者」と呼ぶ個人が、マイクロセル・トランシーバ８４と通信していて、紹介システムおよび機能の加入者である、他のセルラー移動通信装置８２の位置に対するＰＤＡ８０の位置を示す、地図８８のような地図を受信するために無線ＰＤＡ８０を使用する。選択者は、参照番号９０で示すように、スタイラスまたは自分の指により、無線ＰＤＡ８０のスクリーン上にその通信装置８２の位置を指定することにより、以後「被選択者」と呼ぶ他のこのような個人の移動通信装置８２を選択する。
【００５１】
図の実施形態の場合には、選択者は、通常、少なくとも１つの移動ネットワークを介して複数のこのような移動通信装置と通信する、サーバ９２へ少なくとも１つの移動ネットワークを介して、自分が選択したものを送るためにＰＤＡ８０を使用する。  
【００５２】
別の方法としては、選択者は、サーバ９２から、マイクロセル・トランシーバ８４の通信範囲内に、または他の適当に指定された範囲内に位置する、紹介システムの加入者のリストを受信するために無線ＰＤＡ８０を使用する。サーバ９２は、また、選択者に写真のような他の追加加入者情報を提供することができる。次に、選択者は、利用できる加入者を選択し、サーバ９２に選択したものを送るために、従来の検索方法でリストを検索することができる。
【００５３】
好適には、サーバ９２は、紹介システムおよび機能にすでに加入している複数の移動通信装置の何人かのユーザに関する個人情報を記憶することができることが好ましい。好適には、サーバ９２は、紹介システムおよび機能に加入しているこれらの移動通信装置を識別するために、セルラー・マイクロセル・トランシーバ８４と通信することが好ましい。サーバ９２は、従来の位置認識ソフトウェアを使用して、被選択者を識別し、被選択者に、例えば、名前、写真、電話番号、住所および学歴のような、選択者に関するサーバ９２のところに記憶している個人詳細情報を提供する。
【００５４】
好適には、サーバ９２は、米国、９４０６５、カリフォルニア州レッドウッド・ショア、オラクル・パークウェイ５００所在のオラクル社が市販しているような従来のデータベース・ソフトウェア・アプリケーションで実施される個人会員詳細サーバを備えることが好ましい。さらに、好適には、サーバ９２は、日本国名古屋市東区東桜１−１３−３、ＮＨＫ名古屋放送センター・ビル内のトヨタ・コミュニケーション・システム社が市販しているような位置認識ソフトウェアを備えることが好ましい。
【００５５】
次に、被選択者は、被選択者の個人詳細情報を選択者に提供するのをサーバ９２に許可するか否かを決定することができる。この決定は、通常、それぞれＹＥＳおよびＮＯ機能を有する、ボタン９６および９８のような、被選択者が保持する移動通信装置９４上の１つまたは複数のボタンを押すことにより行われる。
【００５６】
図４の参照番号１００で示すように、被選択者が選択者に個人詳細情報を提供することに同意した場合には、サーバ９２は、参照番号１０２で示すように選択者にこのような詳細情報を提供する。このようにして、個人間で紹介を行うことができる。
【００５７】
上記機能は、図に示すように、リアルタイムまたはほぼリアルタイムで実行することもできるし、別の方法としては、リアルタイム以外の方法で実行することもできることを理解されたい。
【００５８】
本発明の好ましい実施形態の場合には、移動通信装置８０および８２は、上記処理を行うことをできるようにするために必要な機能を備えている。これらの機能は、地図要求機能、地図受信表示機能、検索機能、および好適には、ユーザが選択することができる送信機能を含んでいることが好ましい個人詳細情報送受信機能を含むことができるが、含むことができる機能はこれらの機能に限定されない。
【００５９】
本発明のもう１つの好ましい実施形態の場合には、移動通信装置８０および８２は、その位置をサーバ９２に知らせることができる。この実施形態の場合には、移動通信装置８０および８２のユーザは、ある位置に到着した場合、通常、サーバ９２にその位置にいることを知らせる。次に、サーバ９２は、その位置情報を記憶し、その位置情報を、マイクロセル・トランシーバ８４からの追加入力なしで、他の加入者に提供することができる。移動通信装置８０および８２は、ある位置への到着またはそこからの出発を、ユーザの介入によりまたは介入なしでサーバ９２に知らせることができることを理解されたい。
【００６０】
ここで図５を参照すると、この図は、位置標定マッピングを使用する本発明の他の好ましい実施形態による、個人間の紹介を容易にするための一般化されたシステムおよび方法の略図である。
【００６１】
図５を見れば分かるように、本発明は、複数の移動通信装置を使用する他の紹介システムおよび機能を提供する。その一例としては、米国、６６０６２、カンザス州オレーセ、Ｅ．１５１番ストリート１２００所在のＧａｒｍｉｎ  Ｉｎｔｅｒｎａｔｉｏｎａｌ  Ｉｎｃ．が市販するモデル  ｉＱｕｅ（商標）３６００のようなＰＤＡ１２０を備える無線ＧＰＳ、米国、６６０６２、カンザス州オレーセ、Ｅ．１５１番ストリート１２００所在のＧａｒｍｉｎ  Ｉｎｔｅｒｎａｔｉｏｎａｌ  Ｉｎｃ．が市販するＮａｖＴａｌｋ  ＧＳＭ  Ｐｈｏｎｅ／ＧＰＳのような携帯電話１２２を備えるＧＰＳ、または任意の他の適当な移動通信装置がある。図５の実施形態の場合には、従来のＧＰＳ衛星位置標定システムが存在していて、少なくとも３つの衛星１２４から移動通信装置にＧＰＳデータを提供していると仮定する。種々のセルラー移動通信装置１２０および１２２は、移動ネットワークを介してサーバ１２６と通信する。それ故、サーバ１２６は、種々のセルラー移動通信装置１２０および１２２の相対位置に関する現在の情報を記憶する。
【００６２】
図の実施形態の場合には、以後「選択者」と呼ぶ個人は、紹介システムおよび機能への加入者のセルラー移動通信装置１２２を備える他のＧＰＳの位置に対するＰＤＡ１２０の位置を示す地図１２８のような地図を受信するために無線ＰＤＡ１２０を使用する。選択者は、参照番号１３０で示すように、スタイラスまたは自分の指により、ＰＤＡ１２０のスクリーン上にその通信装置１２２の位置を指定することにより、以後「被選択者」と呼ぶ他のこのような人の移動通信装置１２２を選択する。
【００６３】
図の実施形態の場合には、選択者は、通常、移動ネットワークを介して複数のこのような移動通信装置と通信するサーバ１２６へ移動ネットワークを介して、自分が選択したものを送るためにＰＤＡ１２０を使用する。  
【００６４】
好適には、サーバ１２６は、紹介システムおよび機能にすでに加入している、複数の移動通信装置の何人かのユーザに関する個人情報を記憶することができることが好ましい。サーバ１２６は、従来の位置認識ソフトウェアにより、被選択者を認識し、例えば、名前、写真、電話番号、住所および学歴のような選択者に関するサーバ１２６が記憶している個人詳細情報を被選択者に提供する。
【００６５】
好適には、サーバ１２６は、米国、９４０６５、カリフォルニア州レッドウッド・ショア、オラクル・パークウェイ５００所在のオラクル社が市販しているような従来のデータベース・ソフトウェア・アプリケーションで実施される個人会員詳細サーバを備えることが好ましい。さらに、好適には、サーバ１２６は、日本国名古屋市東区東桜１−１３−３、ＮＨＫ名古屋放送センター・ビル内のトヨタ・コミュニケーション・システム社が市販しているような位置認識ソフトウェアを備えることが好ましい。
【００６６】
次に、被選択者は、被選択者の個人詳細情報を選択者に提供するのをサーバ１２６に許可するか否かを決定することができる。この決定は、通常、それぞれＹＥＳおよびＮＯ機能を有する、ボタン１３４および１３６のような、選択された人が保持する移動通信装置１３２上の１つまたは複数のボタンを押すことにより行われる。
【００６７】
図５の参照番号１３８で示すように、被選択者が選択者に個人詳細情報を提供することに同意した場合には、サーバ１２６は、参照番号１４０で示すように選択者にこのような詳細情報を提供する。このようにして、個人間で紹介を行うことができる。
【００６８】
上記機能は、図に示すように、リアルタイムまたはほぼリアルタイムで実行することもできるし、別の方法としては、リアルタイム以外の方法で実行することもできることを理解されたい。
【００６９】
本発明の好ましい実施形態の場合には、移動通信装置１２０、１２２および１３２は、上記処理を行うことをできるようにするために必要な機能を備えている。これらの機能は、地図要求機能、地図受信表示機能、および好適には、ユーザが選択することができる送信機能を含んでいることが好ましい、個人詳細情報送受信機能を含むことができるが、含むことができる機能はこれらの機能に限定されない。
【００７０】
ここで図６を参照すると、この図は、図１に示す視覚認識を使用する本発明の好ましい実施形態による、個人間の紹介を容易にするための一般化されたシステムおよび方法を示す簡単なフローチャートである。
【００７１】
図６を見れば分かるように、撮像者は、自分が通信をスタートしたい被撮像者を見る。撮像者は、電話１０をオンにして、被撮像者の方に内蔵カメラを向ける。撮像者は、画像捕捉モードで電話１０を操作し、被撮像者の画像を捕捉し、捕捉した画像を記憶する。好適には、次に、撮像者は、以下に説明する日付適用モードで電話１０を操作し、サーバ１２による撮像者の加入者登録の確認に従って、セルラー・ネットワークを通してサーバ１２に捕捉した画像を送信することが好ましい。
【００７２】
好適には、日付適用モードは、電話１０をサーバ１２と通信することができるようにする一組の機能を含むことが好ましい。これらの機能は、サーバ１２と通信するためにカスタマイズされている画像送受信機能のような電話１０の一部として提供される機能、および紹介システムの加入者に提供される加入者登録確認機能および個人詳細情報送受信機能のような追加機能を含むことができる。この一組の機能は、また、サーバ１２から受信した情報の表示を容易にするための追加表示オプションを含むこともできるし、また、サーバ１２からの要求に応じてオプションの選択を容易にするための顧客入力ディスプレイを含むこともできる。これらの追加機能およびカスタム化は、電話１０へのソフトウェアの追加または修正として実施することができる。別の方法としては、これらの追加機能およびカスタム化は、電話１０に取り付けられているデバイスで実施することもできるし、任意の他の適当な方法で実施することもできる。
【００７３】
図１のところですでに説明したように、好適には、サーバ１２は、従来の顔認識機能を提供する顔認識サーバ、および紹介システムへの会員の加入に関する個人情報を提供する個人会員詳細サーバを備えることが好ましい。さらに、サーバ１２の個人会員詳細サーバは、紹介システムへの加入会員に関する個人情報を記憶することができ、また、それが情報に対する要求を送信しているデバイスを識別できるようにし、また送信デバイスが紹介システムの加入会員に属しているかどうかを判断することができるようにする機能を含むことができる。好適には、顔認識機能は、また、顔認識機能により識別した個人が紹介システムの加入会員であるか否かを判定することができることが好ましい。
【００７４】
さらに図６を見れば分かるように、次に、サーバ１２は、顔認識機能により送信された画像を処理し、被撮像者が紹介システムの加入会員であるか否かを判定する。被撮像者が加入会員である場合には、サーバ１２は被撮像者に撮像者の個人情報を送信することができる。次に、被撮像者は、その個人情報を撮像者に提供することをサーバ１２に許可するのかどうかを判断し、被撮像者がサーバ１２に同意した場合には、撮像者に被撮像者の個人情報を提供する。次に、撮像者および被撮像者は相互通信に進むことができる。
【００７５】
ここで図７を参照すると、この図は、図２のポイント・ツウ・ポイント通信を使用する本発明の好ましい実施形態による個人間の紹介を容易にするための一般化されたシステムおよび方法の簡単なフローチャートである。
【００７６】
図７を見れば分かるように、発呼者は、自分が通信をスタートしたい被呼者を見る。発呼者は、以下に説明する日付適用モードで携帯電話３０をオンにし、携帯電話３０の通信範囲内の紹介システムに、加入者リストに対する要求を送る。次に、発呼者は、加入者リストを受信し、被呼者を発見するためにリストを検索する。
【００７７】
被呼者の位置を標定するために、発呼者は、無線接続を確立し、その無線接続を介して加入者のうちの少なくとも１人の携帯電話と連絡するために、携帯電話３０を使用することができる。被呼者の携帯電話は、無線接続を介して撮像者の携帯電話３０に肯定応答を送る。さらに、好適には、被呼者の携帯電話は、確認のために撮像者の携帯電話３０にこのユーザの画像を送ることが好ましい。
【００７８】
肯定応答を受信し、被呼者の携帯電話を発見したことを確認した場合には、発呼者は、被呼者の携帯電話３２に、携帯電話３０内に記憶しているその個人情報を送るために携帯電話３０を使用する。この実施形態の場合には、紹介システムの加入者は、その移動通信装置の記憶領域内に記憶している加入者情報、画像および他の個人情報を持っていることを理解されたい。
【００７９】
次に、被呼者は、発呼者にその個人情報を提供することを携帯電話３２に許可するか否かを決定し、被呼者が携帯電話３２に同意した場合には、発呼者の携帯電話３０に被呼者の個人情報を提供する。次に、発呼者および被呼者は、相互通信に進むことができる。
【００８０】
好適には、日付適用モードは、携帯電話３０および３２が、Ｂｌｕｅｔｏｏｔｈ接続またはＷＬＡＮ接続のような無線により、他の移動通信装置と通信することができるようにする、一組の機能を含んでいることが好ましい。これらの機能は、他の移動通信装置と通信するためにカスタマイズされている画像送受信機能のような携帯電話３０および３２の一部として提供される機能、および紹介システムの加入者に提供される加入者登録確認機能および個人詳細情報送受信機能のような追加機能を含むことができる。この一組の機能は、また、他の移動通信装置から無線接続で受信した情報の表示を容易にするための追加表示オプションを含むこともできるし、また顧客入力ディスプレイを含むこともできる。これらの追加機能およびカスタム化は、携帯電話３０および３２へのソフトウェアの追加または修正として実施することができる。別の方法としては、これらの追加機能およびカスタム化は、携帯電話３０および３２に取り付けられているデバイスで実施することもできるし、任意の他の適当な方法で実施することもできる。
【００８１】
ここで図８を参照すると、この図は、図３の目的のためのポイント・ツウ・ポイント通信およびカメラ機能により、本発明の好ましい実施形態による個人間の紹介を容易にするための一般化したシステムおよび方法を示す簡単なフローチャートである。
【００８２】
図８に示すように、この図は、撮像者は、自分が通信をスタートしたい被呼者を見る。撮像者は、以下に説明する日付適用モードで無線ＰＤＡ５０をオンにし、被呼者の無線ＰＤＡ５２に無線ＰＤＡ５０のカメラを向け、無線で被呼者の無線ＰＤＡ５２と通信する。被呼者が紹介システムおよび機能の加入者である場合には、被呼者の無線ＰＤＡ５２は、撮像者の無線ＰＤＡ５０に肯定応答を送る。さらに、好適には、被呼者の無線ＰＤＡ５２は、通常、レーザ・ビームのような無線接続を介して撮像者の無線ＰＤＡ５０に送信される被呼者の画像を送ることが好ましい。通常、この実施形態の場合には、紹介システムおよび機能の加入者は、その移動通信装置上に記憶しているその加入者の情報、画像および他の個人情報を持っている。
【００８３】
次に、撮像者は、被呼者の画像が本人であることを確認するように要求される。撮像者が画像を確認した場合には、無線ＰＤＡ５０は、被呼者の無線ＰＤＡ５２に撮像者の個人情報を送信することができる。次に、被呼者は、撮像者へその個人情報を提供することを無線ＰＤＡに許可するか否かを決定し、被呼者が無線ＰＤＡ５２に同意した場合には、撮像者の無線ＰＤＡ５０に被呼者の個人情報を提供する。次に、撮像者および被呼者は相互通信に進むことができる。
【００８４】
好適には、日付適用モードは、無線ＰＤＡ５０および５２が、無線により、他の移動通信装置と通信することができるようにする、一組の機能を含んでいることが好ましい。これらの機能は、他の移動通信装置と通信するためにカスタマイズされている画像送受信機能のような無線ＰＤＡ５０および５２の一部として提供される機能、および紹介システムの加入者に提供される加入者登録確認機能および個人詳細情報送受信機能のような追加機能を含むことができる。この一組の機能は、また、他の移動通信装置から無線接続を介して受信した情報の表示を容易にするための追加表示オプションを含むこともできるし、また顧客入力ディスプレイを含むこともできる。これらの追加機能およびカスタム化は、無線ＰＤＡ５０および５２へのソフトウェアの追加または修正として実施することができる。別の方法としては、これらの追加機能およびカスタム化は、無線ＰＤＡ５０および５２に取り付けられているデバイスで実施することもできるし、任意の他の適当な方法で実施することもできる。
【００８５】
ここで図９を参照すると、この図は、図４のセルラー位置標定機能を使用する位置標定マッピングを利用する本発明の好ましい実施形態による、個人間の紹介を容易にするための一般化されたシステムおよび方法の簡単なフローチャートである。
【００８６】
図９を見れば分かるように、選択者は、以下に説明する日付適用モードで無線ＰＤＡ８０をオンにし、紹介システムおよび機能の加入者の移動通信装置８２の位置を示す地図を要求する。次に、選択者は、マイクロセル・トランシーバ８４を介してサーバ９２から、好適には、無線ＰＤＡ８０のスクリーン上に表示されるものであることが好ましい地図を受信する。好適には、次に、選択者は、通常、無線ＰＤＡ８０上の地図上のある位置に触れることにより、被選択者を選択することが好ましい。
【００８７】
次に、無線ＰＤＡ８０は、被選択者の通信装置８２へ選択者の個人情報を送信するために、サーバ９２に要求を送信することができる。次に、被選択者は、選択者にその個人情報を提供するか否かを決定し、被選択者が通信装置８２に同意した場合には、選択する人の無線ＰＤＡ８０に被選択者の個人情報を提供するために、サーバ９２に要求を送信する。次に、選択者および被選択者は相互通信に進むことができる。
【００８８】
好適には、日付適用モードは、無線ＰＤＡ８０が、サーバ９２と通信することができるようにする一組の機能を含んでいることが好ましい。これらの機能は、サーバ９２と通信するためにカスタマイズされているリスト検索機能のような無線ＰＤＡ８０の一部として提供される機能、および紹介システムの加入者に提供される加入者登録確認機能および個人詳細情報送受信機能のような追加機能を含むことができる。この一組の機能は、また、地図表示機能のようなサーバ９２から受信した情報の表示を容易にするための追加表示オプションを含むこともできるし、また、サーバ９２からの要求に応じてオプションの選択を容易にするための顧客入力ディスプレイを含むこともできる。これらの追加機能およびカスタム化は、無線ＰＤＡ８０へのソフトウェアの追加または修正として実施することができる。別の方法としては、これらの追加機能およびカスタム化は、無線ＰＤＡ８０に取り付けられているデバイスで実施することもできるし、または任意の他の適当な方法で実施することもできる。
【００８９】
さらに、好適には、サーバ９２は、位置生成機能および地図生成機能のうちの少なくとも一方を含んでいて、通常、マイクロセル・トランシーバ８４のサービス提供範囲内に位置する加入者のリストを生成するために、マイクロセル・トランシーバ８４と通信することができることが好ましい。別の方法としては、サーバ９２は、紹介システムの加入者の移動通信装置８０および８２から直接受信する位置情報を記憶するための機能を含む。
【００９０】
ここで図１０を参照すると、この図は、ＧＰＳ機能を使用する位置マッピングを利用する本発明の好ましい実施形態による、個人間の紹介を容易にするための一般化されたシステムおよび方法の簡単なフローチャートである。
【００９１】
図１０を見れば分かるように、選択者は、以下に説明する日付適用モードで無線ＰＤＡ１２０をオンにし、紹介システムおよび機能の加入者の移動通信装置１２２の位置を示す地図を要求する。次に、選択者は、サーバ１２６から、好適には無線ＰＤＡ１２０のスクリーン上に表示されるものであることが好ましい地図を受信する。好適には、次に、選択者は、通常、無線ＰＤＡ１２０上の地図上のある位置に触れることにより被選択者を選択することが好ましい。
【００９２】
次に、無線ＰＤＡ１２０は、被選択者の通信装置１２２へ選択者の個人情報を送信するように、サーバ１２６に要求を送信することができる。次に、被選択者は、選択者にその個人情報を提供するか否かを決定し、被選択者が通信装置１２２に同意した場合には、選択者の無線ＰＤＡ１２０に被選択者の個人情報を提供するように、サーバ１２６に要求を送信する。次に、選択者および被選択者は相互通信に進むことができる。
【００９３】
好適には、日付適用モードは、無線ＰＤＡ１２０が、サーバ１２６と通信することができるようにする一組の機能を含んでいることが好ましい。これらの機能は、サーバ１２６と通信するためにカスタマイズされている無線ＰＤＡ１２０の一部として提供される機能、および紹介システムの加入者に提供される加入者登録確認機能および個人詳細情報送受信機能のような追加機能を含むことができる。この一組の機能は、また、地図表示機能のようなサーバ１２６から受信した情報の表示を容易にするための追加表示オプションを含むこともできるし、またサーバ１２６からの要求に応じてオプションの選択を容易にするための顧客入力ディスプレイを含むこともできる。これらの追加機能およびカスタム化は、無線ＰＤＡ１２０へのソフトウェアの追加または修正として実施することができる。別の方法としては、これらの追加機能およびカスタム化は、無線ＰＤＡ１２０に取り付けられているデバイスで実施することもできるし、または任意の他の適当な方法で実施することもできる。
【００９４】
好適には、さらに、サーバ１２６は、位置生成機能および地図生成機能のうちの少なくとも一方を含んでいて、通常、ＰＤＡ１２０の範囲内に位置する加入者リストを生成するために、衛星１２４と通信することができることが好ましい。
【００９５】
図の実施形態は、２つの携帯電話または２つのＰＤＡ間の通信を示しているが、本発明は２つの類似の追加機能間の通信に限定されないことを理解されたい。本発明が、任意のおよびすべてのタイプの適当な移動通信装置を使用することもできるし、任意のおよびすべての適当な通信プロトコルと一緒に動作することができることも予想される。
【００９６】
当業者であれば、本発明は上記の詳細な図面および説明に限定されないことを理解することができるだろう。それどころか、本発明の範囲は、上記種々の機能および上記説明を読めば当業者であれば思い付くその修正および変更および従来技術の範囲に含まれないものの組合わせおよびサブ組合わせの両方を含む。
【図面の簡単な説明】
【００９７】
【図１】視覚認識を使用する本発明の好ましい実施形態による、個人間の紹介を容易にするための一般化されたシステムおよび方法の略図である。
【図２】ポイント・ツウ・ポイント通信を使用する本発明の好ましい実施形態による、個人間の紹介を容易にするための一般化されたシステムおよび方法の略図である。
【図３】ポイント・ツウ・ポイント通信および撮影するためのカメラ機能を使用する本発明の好ましい実施形態による、個人間の紹介を容易にするための一般化されたシステムおよび方法の略図である。
【図４】セルラー位置標定機能を使用する位置標定マッピングを利用する本発明の好ましい実施形態による、個人間の紹介を容易にするための一般化されたシステムおよび方法の略図である。
【図５】ＧＰＳ機能を使用する位置標定マッピングを利用する本発明の好ましい実施形態による、個人間の紹介を容易にするための一般化されたシステムおよび方法の略図である。
【図６】図１の視覚認識を使用する本発明の好ましい実施形態による、個人間の紹介を容易にするための一般化されたシステムおよび方法の簡単なフローチャートである。
【図７】図２のポイント・ツウ・ポイント通信を使用する本発明の好ましい実施形態による、個人間の紹介を容易にするための一般化されたシステムおよび方法の簡単なフローチャートである。
【図８】図３のポイント・ツウ・ポイント通信および撮影のためのカメラ機能を使用する本発明の好ましい実施形態による、個人間の紹介を容易にするための一般化されたシステムおよび方法の簡単なフローチャートである。
【図９】図４のセルラー位置標定機能を使用する位置標定マッピングを利用する本発明の好ましい実施形態による、個人間の紹介を容易にするための一般化されたシステムおよび方法の簡単なフローチャートである。
【図１０】図５のＧＰＳ機能を使用する位置標定マッピングを使用する本発明の好ましい実施形態による、個人間の紹介を容易にするための一般化されたシステムおよび方法の簡単なフローチャートである。
【図１】
2007514332.tif 000003
【図２】
2007514332.tif 000004
【図３】
2007514332.tif 000005
【図４】
2007514332.tif 000006
【図５】
2007514332.tif 000007
【図６】
2007514332.tif 000008
【図７】
2007514332.tif 000009
【図８】
2007514332.tif 000010
【図９】
2007514332.tif 000011
【図１０】
2007514332.tif 000012